(57)【要約】【課題】  陳列対象物を傾斜させることなく収容可能として効率的な収容形態を維持することができ、下方より一個ずつ抜き出すことができる陳列装置を提供すること。【解決手段】  上部開放型のケース本体１１と、このケース本体内に設けられるとともに陳列対象物Ｇを前方に押圧する押圧部材１３とを備えて陳列装置１０が構成されている。ケース本体の底壁２０の前部側には陳列対象物の位置を規制する凸部２７が設けられるとともに、陳列対象物を下方より押し上げ操作可能とする切欠部２０Ｂが設けられている。底壁の前端とケース本体の前壁との間には抜き出し空間Ｃが形成されており、切欠部を通じて最前部の陳列対象物Ｇ１を上方に押し上げたときに、当該陳列対象物が凸部を乗り越えて抜き出し空間から下方に抜き出し可能となる。【選択図】          図９
2006061574.tif 000002
【特許請求の範囲】
【請求項１】
陳列対象物を支持する底壁と、当該底壁の左右両側に位置する側壁と、これら側壁の前部間に位置する前壁とを備えて前記陳列対象物を略起立姿勢で前後方向に整列させて収容する上部開放型のケース本体と、このケース本体内に設けられるとともに前記陳列対象物を前方に押圧する押圧部材とを含む陳列装置において、
前記底壁の前部側に陳列対象物の位置規制部が設けられるとともに、陳列対象物を下方より押し上げ操作可能とする操作領域が設けられ、
前記底壁の前端と前記前壁との間に前記陳列対象物の前後方向厚み以上の抜き出し空間が形成され、
前記操作領域で最前部の陳列対象物を上方に押し上げたときに、前記押圧部材の押圧力により最前部の陳列対象物が前記位置規制部を乗り越えて前記抜き出し空間から下方に抜き出し可能に設けられていることを特徴とする陳列装置。
【請求項２】
前記底壁の前端側中央部に前記抜き出し空間に開放する切欠部が形成され、この切欠部により前記操作領域が形成されていることを特徴とする請求項１記載の陳列装置。
【請求項３】
前記位置規制部は、前記底壁の上面幅方向に形成されて最前部に位置する陳列対象物の下端部前面に係り合う凸部により形成されていることを特徴とする請求項１又は２記載の陳列装置。
【請求項４】
前記位置規制部を乗り越えた陳列対象物の受け部材を更に含み、当該受け部材を所定操作することで前記陳列対象物が前記抜き出し空間の下方に抜き出し可能に設けられていることを特徴とする請求項１，２又は３記載の陳列装置。
【請求項５】
前記位置規制部よりも前方位置に、前記陳列対象物の前方への飛び出しを防止するストッパが設けられていることを特徴とする請求項１ないし４の何れかに記載の陳列装置。
【発明の詳細な説明】
【技術分野】
【０００１】
本発明は、陳列装置に係り、例えば、タバコ等の商品を陳列対象物として効率的に収容できるとともに、容易に一個ずつ取り出すことができる陳列装置に関する。
【背景技術】
【０００２】
従来より、コンビニエンスストア、スーパーマーケット等の小売店においては、商品を前後方向に整列させた状態で、最前部に位置する商品を一個ずつ取り出すことのできる陳列装置が採用されている（例えば、特許文献１参照）。
【０００３】
前記特許文献１に開示された陳列装置は、商品を前後方向に整列させて収容するケース本体と、このケース本体内に配置されて商品を前方に押し出す押圧部材と、ケース本体の前方上部に配置された傾斜板とを備えて構成されている。この陳列装置においては、各商品が、その下部を上部よりも前方位置とする傾斜姿勢に保たれるとともに、最前部に位置する商品の下部領域がケース本体の底壁前端よりも前方に位置するようになっている。従って、消費者若しくは販売スタッフは、最前部の商品を下方に抜き出して取り出すことが可能となる。
【０００４】
【特許文献１】特開２０００−２８７７９２号公報
【発明の開示】
【発明が解決しようとする課題】
【０００５】
しかしながら、特許文献１に開示された陳列装置にあっては、前後方向に並ぶ商品が傾斜した姿勢に保たれる構成であり、起立姿勢で商品を並べた場合に比べて商品の収容個数を減らしてしまうという不都合がある。
【０００６】
また、特許文献１の陳列装置にあっては、最前部に位置する商品の前面と下部後面側に指をかけて商品を摘んで下方に抜き出すものであるが、前記下部後面側の指掛け領域が狭いものとなり、商品の摘み易さに劣る、という不都合がある。かかる不都合は、商品の傾斜角度を大きく設定することにより拡大可能であるが、極端な傾斜角度に設定した場合には、最前部の商品を一定の位置に保つことが困難になるばかりでなく、ケース本体への商品収容個数を更に減らしてしまうという不都合を招来する。
【０００７】
更に、最前部の商品が陳列装置の前端よりも突出した状態で陳列されるものであるため、店舗通路を歩行する消費者が商品に直接ぶつかり易くなり、その接触によって商品を不用意に落下させてしまう、という不都合もある。
【０００８】
なお、特許文献の陳列装置は、最前部の商品の前部下端を支持する係止部を設けた例も示されているが、この例では、係止部が鋭角な状態で店舗内の通路側に突出することになり、危険回避という点において好ましくない。
【０００９】
［発明の目的］
本発明は、このような不都合に着目して案出されたものであり、その目的は、最前部に位置する陳列対象物に対して押し上げ操作を行うことで、下方への抜き出しを容易に行うことができる陳列装置を提供することにある。
【００１０】
本発明の他の目的は、陳列対象物を傾斜させることなく収容可能として効率的な収容形態を維持することができる陳列装置を提供することにある。
【００１１】
本発明の更に他の目的は、最前部の陳列対象物が陳列装置の前端よりも前方に露出することがなく、店舗内の通路を歩行する消費者等が不用意にぶつかっても陳列対象物を落下させることのない陳列装置を提供することにある。
【課題を解決するための手段】
【００１２】
前記目的を達成するため、本発明は、陳列対象物を支持する底壁と、当該底壁の左右両側に位置する側壁と、これら側壁の前部間に位置する前壁とを備えて前記陳列対象物を略起立姿勢で前後方向に整列させて収容する上部開放型のケース本体と、このケース本体内に設けられるとともに前記陳列対象物を前方に押圧する押圧部材とを含む陳列装置において、
前記底壁の前部側に陳列対象物の位置規制部が設けられるとともに、陳列対象物を下方より押し上げ操作可能とする操作領域が設けられ、
前記底壁の前端と前記前壁との間に前記陳列対象物の前後方向厚み以上の抜き出し空間が形成され、
前記操作領域で最前部の陳列対象物を上方に押し上げたときに、前記押圧部材の押圧力により最前部の陳列対象物が前記位置規制部を乗り越えて前記抜き出し空間から下方に抜き出し可能に設けられる、という構成を採っている。
【００１３】
本発明において、前記底壁の前端側中央部に前記抜き出し空間に開放する切欠部が形成され、この切欠部により前記操作領域が形成されている。
【００１４】
また、前記位置規制部は、前記底壁の上面幅方向に形成されて最前部に位置する陳列対象物の下端部前面に係り合う凸部により形成することができる。
【００１５】
更に、前記位置規制部を乗り越えた陳列対象物の受け部材を更に含み、当該受け部材を所定操作することで前記陳列対象物が前記抜き出し空間の下方に抜き出し可能に設けられる構成としてもよい。
【００１６】
また、前記位置規制部よりも前方位置に、前記陳列対象物の前方への飛び出しを防止するストッパを設けることもできる。
【００１７】
なお、本明細書における方向を示す用語は、特に明記しない限り、図１に示される陳列装置を同図中Ｘ方向から見た場合を基準として用いるものとする。ここで、「幅方向」は左右方向に対応し、「前」、「後」は、前記Ｘ方向に沿う手前側と、奥行き側にそれぞれ対応する。
【発明の効果】
【００１８】
本発明によれば、最前部に位置する陳列対象物に対して下方から押し上げ力を付与したときに、押圧部材による前方への押圧力で陳列対象物が位置規制部を乗り越え、その後に抜き出し空間を通じて下方に落下することで当該陳列対象物の抜き出しを行うことが可能となる。従って、陳列対象物を摘む領域が存在しなくても不都合は生じない。また、前後方向に整列される陳列対象物が略起立姿勢でケース本体内に収容される構成であるから、ケース本体への商品の収容個数を減らしてしまうという不都合を解消することができる。更に、ケース本体は、上部を開放する形状であるため、高さ寸法の異なる陳列対象物を混在させた収容も可能となる。
【００１９】
また、陳列対象物の受け部材を設けた構成によれば、前記位置規制部を乗り越えた陳列対象物が不用意に抜き出し空間から下方に落下してしまうことを防止できる。
【００２０】
更に、前記位置規制部よりも前方位置にストッパを設けた構成により、前記位置規制部を乗り越えた陳列対象物が押圧部材の押圧力で前壁の上方を飛び越えるおそれを効果的に防止でき、前記抜き出し空間からの抜き出しを確実に行うことが可能となる。
【発明を実施するための最良の形態】
【００２１】
以下、本発明の好ましい実施形態を図面を参照しながら説明する。
【００２２】
図１には、本実施形態に係る陳列装置の概略斜視図が示され、図２には、その前部側の一部を破断した概略斜視図が示されている。これらの図において、陳列装置１０は、陳列対象物としての商品Ｇを略直立姿勢で前後方向に整列させて収容するケース本体１１と、このケース本体１１内に設けられるとともに、前記商品Ｇを前方に押圧する押圧部材１３とを備えて構成されている。ケース本体１１は、例えば、タバコ等の略直方体形状を備えた商品Ｇを支持する底壁２０と、当該底壁２０の左右両側に連設された一対の側壁２１，２１と、側壁２１，２１の前部間及び後部間にそれぞれ位置する前壁２２及び後壁２３とを備えた上部開放型の箱状に設けられている。底壁２０は、側壁２１の前端位置よりも後方位置を前端とする前後方向長さに設けられ、これにより、当該底壁２０と前壁２２との間に商品Ｇを下方に抜き出すための抜き出し空間Ｃが形成されている。ここで、抜き出し空間Ｃの前後方向寸法（長さ）は商品Ｇの前後方向厚み以上に設定されている。なお、側壁２１，２１、前壁２２及び後壁２３の各下端は、底壁２０の下端よりも若干低い位置となるように形成されている。
【００２３】
前記底壁２０において、前記幅方向の略中央部には、当該底壁２０の前後方向に沿って延びるスロット穴２４が形成されている。スロット穴２４の後端は前記後壁２３に達する一方、前端は底壁２０の前端よりも若干後方に位置する長さに設定されている。このスロット穴２４の前端位置を決定する底壁部分はばね受け部２０Ａとされ、当該ばね受け部２０Ａには、押圧部材１３の一部を構成するぜんまいばね２５の一端がねじ２６を介して固定されている。また、ばね受け部２０Ａの前方は、前記抜き出し空間Ｃに開放して最前部の商品Ｇ１を下方から上方に押し上げる操作を行う操作領域としての切欠部２０Ｂが形成されている。底壁２０の上面前端位置には、幅方向に延びる位置規制部としての凸部２７，２７が形成され、当該凸部２７，２７に最前部の商品Ｇ１における下端部前面の二箇所が係り合うことで当該商品Ｇ１の位置が保たれるようになっている。また、スロット穴２４の幅方向両側の形成縁は押圧部材１３を構成する後述のスライド部材等のガイドとして作用する領域となり、当該形成縁に沿う底壁２０の上面には、図５に示されるように、断面形状が略三角形形状となる山形隆起部２８が形成され、これにより、スライド部材の移動に伴う摩擦抵抗の軽減が図られるようになっている。
【００２４】
前記押圧部材１３は、スライド部材３０と、これに一体化されるスペーサブロック３１と、前記スライド部材３０に保持されるぜんまいばね２５とからなる。スライド部材３０は、図２，図３及び図５に示されるように、スロット穴２４を幅方向に跨ぐ状態で前記底壁２０上に位置する平面部３３と、この平面部３３の前端から上方に延びる起立面部３４と、当該起立面部３４の後面と平面部３３との間に位置する側面視略三角形状の左右一対の補強面部３５，３５と、平面部３３の下面から下方に向けられて前記スロット２０の形成縁に係り合う左右一対の爪状部３６，３６（図５参照）とを備えて構成されている。前記左右一対の補強面部３５，３５は、それらの間にぜんまいばね２５のコイル部を保持する機能を備えており、当該コイル部より引き出されるぜんまいばね２５のリード端は、前記起立面部３４の中央部下端側に形成されたスリット３４Ａ（図３参照）を通って前記ばね受け部２０Ａに固定されるようになっている。
【００２５】
前記スペーサブロック３１は、図６ないし図９に示されるように、上下方向に貫通する角柱ブロックにより構成され、当該スペーサブロック３１は、前記起立面部３４の前面に、例えば、両面接着テープ等を介して貼付固定されている。このスペーサブロック３１はケース本体１１内に収容された商品Ｇが少なくなったときでも当該商品Ｇを前記凸部２７に係り合って位置規制される位置に押し付けるためのものであるが、スライド部材３０自体の形状を前後方向に長くすること等によって省略することもできる。また、スペーサブロック３１の前面には、滑り防止シートＳが貼付されており、当該滑り防止シートＳによって最後部に位置する商品Ｇとの面方向に沿う相対滑りが防止される。
【００２６】
なお、前記陳列装置１０は、図示しないケース若しくは支持体を介して上下及び／又は左右に複数配置することができ、それぞれの陳列装置１０に商品Ｇを配置して利用することができるものである。
【００２７】
次に、本実施形態における陳列装置１０の使用方法について説明する。
【００２８】
商品Ｇがケース本体１１内に収容されていない状態では、前記スライド部材３０及びスペーサブロック３１は、ぜんまいばね２５がコイル状に縮まる力によって前方に位置した状態となる。従って、ケース本体１１内に商品Ｇを収容するときは、先ず、前記スライド部材３０及びスペーサブロック３１を後方に移動させることとなる。これにより、ぜんまいばね２５がコイル部から順次引き出されて帯状に延び、スペーサブロック３１の前方領域に商品Ｇを収容する空間が形成され、この空間内の底壁２０上に商品Ｇを載せて収容することができる。
【００２９】
スライド部材３０を後方に移動させている力を解除することにより、収容された商品Ｇは、スペーサブロック３１によって前方に押し出され、このとき、最前部に位置する商品Ｇ１は、その下端部前面が位置規制部を構成する凸部２７に係り合い、当該係り合う位置を停止位置として保たれる。
【００３０】
最前部の商品Ｇ１を陳列装置１０から抜き出して取り出すときは、図７に示されるように、当該商品Ｇ１の下部に形成された切欠部２０Ｂを通じて下方から指先で押し上げ力を付与すればよい。これにより、凸部２７との係り合いが解除され、押圧部材１３による前方への押圧力で商品Ｇ１が凸部２７を乗り越えて抜き出し空間Ｃ側に移動し（図８参照）、自重で当該空間Ｃから下方に落下しようとする。このとき、切欠部２０Ｂを通じて指先で押し上げ力を付与するにあたり、手の平が抜き出し空間Ｃの略真下に位置することになるので、手の平で商品Ｇ１を受け止めることができる。従って、商品Ｇ１の床面への落下を防止しつつ当該商品を受け止めながら抜き出し空間Ｃより抜き出すことができる（図９参照）。また、次の商品Ｇ２は、前記凸部に係り合う位置移動し、次に押し上げ力を受けるまで同位置で待機することとなる。
【００３１】
従って、このような実施形態によれば、前記切欠部２０Ｂを通じて下方からの押し上げ力により、商品Ｇを抜き出し空間Ｃから一個ずつ抜き出すことが可能となる。
【００３２】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、数量その他の詳細な構成において、当業者が様々な変形を加えることができるものである。
従って、上記に開示した形状、位置、数量などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３３】
例えば、図１０に示されるように、前記抜き出し空間Ｃを閉塞する受け部材５０を設け、前記凸部２７を乗り越えた商品Ｇを一時的に受け止めるようにし、その後に、受け部材５０の自由端側（前端側）を回転操作して商品Ｇを下方に抜き出すようにしてもよい。ここで、受け部材５０は、底壁２０の前端縁に薄肉ヒンジ部５１を介して連設されて抜き出し空間Ｃ内で略平面的に位置する受け面部５０Ａと、この受け面部５０Ａの前端から下向き後方に屈曲する指掛け部５０Ｂとを備えた構成とすることができる。受け部材５０は、その前端を前壁２２の内面に圧接させる前後方向長さに設定することで、抜き出し空間Ｃを閉塞した状態を維持し得る。また、受け部材５０は、適当なクリック動作等で前壁２２に係り合う構成を採用してもよい他、抜き出し空間Ｃを閉塞しない形状を備えた櫛状の部材等に代替することでもよい。要するに、受け部材５０は、凸部２７を乗り越えた商品Ｇを抜き出し空間Ｃの領域で一時的に支持することができる構成であれば種々の設計を採用することができる。
【００３４】
また、図１１に示されるように、底壁２０の前端縁に薄肉ヒンジ部５５を介して垂下する受け部材５６を設けた構成としてもよい。ここで、受け部材５６は、垂下面部５６Ａと、この垂下面部５６Ａの下端から前方に延びて当該垂下面部５６Ａの上下方向長さよりも短寸となる平面部５６Ｂとからなり、当該平面部５６Ａで一時的に商品Ｇの後部下端側を支持して商品Ｇの不用意なる落下防止が図られるようになっている。商品Ｇを抜き出すときは、図１１中二点鎖線で示されるように、前記ヒンジ部５５を回転中心として受け部材５６の下端側を後方に移動させることによって行うことができる。
【００３５】
更に、図１２に示されるように、前記位置規制部を構成する凸部２７よりも前方となる位置に、商品Ｇの前方への飛び出しを予防するストッパ６０を設けることもできる。このストッパ６０は、側壁２１，２１の前部上端からそれぞれ起立する一対の起立片６０Ａ，６０Ａと、これら起立片６０の上端部間に掛け渡されたバー部材６０Ｂとにより構成されている。このような構成では、凸部２７を乗り越えた商品Ｇが押圧部材１３の押圧力によって前方に押し出されたときの勢いが強くても、前壁２２の上方より前方に商品Ｇが飛び出してしまうおそれを予防的に回避することができる。なお、ストッパ６０の構成も、図示構成例に限定されるものではなく、単に前壁２２の上端位置を高く設定することでもよい。但し、バー部材６０Ｂを用いた構成によれば、正面側から商品Ｇを見易く保つことができる。
【００３６】
また、前記実施形態における押圧部材１５は特に限定されるものではなく、商品Ｇを前方に移動させることができるものであれば足りる。また、前記陳列装置１０は、商品収容空間が一列である場合を図示説明したが、横方向に複数列を一体に配置した構成としてもよい
【図面の簡単な説明】
【００３７】
【図１】本実施形態に係る陳列装置の概略斜視図。
【図２】前記陳列装置の前部側の一部を破断した概略斜視図。
【図３】押圧部材の一部を省略した状態を示す陳列装置の概略斜視図。
【図４】ケース本体の概略斜視図。
【図５】図２のＡ−Ａ線に沿う矢視拡大断面図。
【図６】前記陳列装置の中央縦断面図。
【図７】最前部の商品を抜き出す際の初期操作を示す中央縦断面図。
【図８】最前部の商品が位置規制部を乗り越えた状態を示す中央縦断面図。
【図９】最前部の商品を抜き出し空間から抜き出す状態を示す中央縦断面図。
【図１０】前記陳列装置の変形例を示す中央縦断面図。
【図１１】前記陳列装置の他の変形例を示す中央縦断面図。
【図１２】前記陳列装置の更に他の変形例を示す概略斜視図。
【符号の説明】
【００３８】
１０  陳列装置
１１  ケース本体
１３  押圧部材
２０  底壁
２０Ｂ  切欠部（操作領域）
２１  側壁
２２  前壁
２７  凸部（位置規制部）
５０，５６  受け部材
６０  ストッパ
Ｃ  抜き出し空間
Ｇ  商品（陳列対象物）
【図１】
2006061574.tif 000003
【図２】
2006061574.tif 000004
【図３】
2006061574.tif 000005
【図４】
2006061574.tif 000006
【図５】
2006061574.tif 000007
【図６】
2006061574.tif 000008
【図７】
2006061574.tif 000009
【図８】
2006061574.tif 000010
【図９】
2006061574.tif 000011
【図１０】
2006061574.tif 000012
【図１１】
2006061574.tif 000013
【図１２】
2006061574.tif 000014